(57)【特許請求の範囲】
【請求項１】
円筒タンクの設置個所となる基礎コンクリートの表面に深さを有する凹部を設けて、該凹部にドライサンドを充填し、円筒タンクの底板を構築する鋼板であって、該鋼板の下面における互いに交差する方向であると共に互いに干渉しない位置に、長さの異なる複数のシアプレートを突設させた鋼板を、上記円筒タンクの底板の中央から外周部に亘り複数備え、上記円筒タンクの底板を構築する複数の鋼板の下面に突設させた複数のシアプレートを、上記ドライサンドに挿し込んだ状態で上記基礎コンクリート及びドライサンド上に上記円筒タンクを載置してなり、上記円筒タンクに作用する水平方向の荷重を、該円筒タンクの底板を構築する複数の鋼板の下面に突設したシアプレートより上記ドライサンドへ伝えて受けさせることができるようにした構成を有することを特徴とする円筒タンクの横滑り防止装置。
【請求項２】
円筒タンクの底板を構築する複数の鋼板の下面に突設させるシアプレートと、上記円筒タンクの底板と、を同じ材質とした請求項１記載の円筒タンクの横滑り防止装置。
【発明の詳細な説明】
【技術分野】
【０００１】
本発明は、平底円筒タンクの横滑りを未然に防止するために用いる円筒タンクの横滑り防止装置に関するものである。
【背景技術】
【０００２】
一般に、低温液化ガスのタンクとして広く用いられている二重殻式の円筒タンクは、図４に示す如く、いずれも中空円筒型で平底形状を有する内槽１及び外槽２からなる金属二重殻タンクであり、内槽１に貯蔵するＬＮＧのような低温液化ガス５の吸熱によるガス化を防止するために、内槽１の底板１ａと外槽２の底板２ａの間には、底部保冷材３を挟持させるようにしてあり、又、内槽１の側板１ｂと外槽２の側板２ｂの間、及び、内槽１の屋根１ｃと外槽２の屋根２ｃの間には、保冷材４が充填してある（たとえば、特許文献１参照）。
【０００３】
ところで、上記二重殻式平底円筒タンクの内槽１は、低温液化ガス５が空の状態の常温時と低温液化ガス５の貯蔵による極低温時との温度差で生じる熱膨張と熱収縮を許容できるようにする必要があり、このために、通常は、上記外槽２の底板２ａの上面に、内槽１の底板１ａの外周縁部に対応する位置に図示しないコンクリートブロックを周方向に配列して設けると共に、該コンクリートブロックの内側にフォームグラス等の底部保冷材３を平らに敷き詰めて、このコンクリートブロックと底部保冷材３の上側に、上記内槽１の底板１ａを載置するようにしてある。
【０００４】
更に、上記二重殻式円筒タンクの内槽１の外周部には図示しないアンカーが設けてある。
【０００５】
又、図示してないが、特に断熱を必要としない液体の貯蔵を行うために広く用いられている一重殻構造の平底円筒タンクは、通常、底板を平らな基礎コンクリート上に直接載置するようにしてある。
【０００６】
【特許文献１】特開平９−１３７６２７号公報
【発明の開示】
【発明が解決しようとする課題】
【０００７】
ところが、上記二重殻式円筒タンクの内槽１の外周部に設けてある図示しないアンカーは、上記内槽１の熱膨張と熱収縮を阻害しないようにするために、単に上記内槽１の浮き上がりを防止するためのものとしてあり、よって、上記内槽１の水平方向の拘束を行うようにはなっていない。
【０００８】
したがって、上記二重殻式円筒タンクの内槽１は、該内槽１の底板１ａの下面と上記外槽２の底板２ａの上側に設けた図示しないコンクリートブロック及び底部保冷材３の上面との間に生じる摩擦力によって水平方向の位置が保持されるようにしてあることから、地震力のような水平方向の荷重に対する抵抗力が小さく、地震力によって作用する水平方向の荷重が、上記内槽１の底板１ａの下面と上記外槽２の底板２ａの上側に設けた図示しないコンクリートブロック及び底部保冷材３の上面との間に作用する摩擦力を上回るようになると、上記内槽１の横滑りを防ぐことができない。
【０００９】
そのために、横滑りの発生によって上記内槽１の底板１ａ自体に損傷が生じたり、該底板１ａの下面側に設けてあるノズル等の付属品に損傷が発生して、上記低温液化ガス５のような内容液の漏洩に繋がる虞が懸念されるというのが実状である。
【００１０】
又、一重殻式平底円筒タンクにおいても、その水平方向の位置の保持は、タンク底板の下面と、基礎コンクリートの表面との間の摩擦力に依存しているため、地震力によって作用する水平方向の荷重が、上記タンク底板の下面と基礎コンクリート表面との間に作用すする摩擦力を上回ると、該一重殻式平底円筒タンクの横滑りが生じてしまう虞が懸念される。よって、上記のような横滑りが生じることで、一重殻式平底円筒タンクにおいても、タンク底板自体の損傷や、該底板の下面側に設けてあるノズル等の付属品に損傷が発生することで、内容液の漏洩に繋がる虞が懸念されるというのが実状である。
【００１１】
そこで、本発明は、地震力のような水平方向の荷重が作用しても二重殻式円筒タンクの内槽となる平底円筒タンクや、その他、一重殻式の平底円筒タンクの横滑りを未然に防止できるようにするための円筒タンクの横滑り防止装置を提供しようとするものである。
【課題を解決するための手段】
【００１２】
本発明は、上記課題を解決するために、請求項１に対応して、円筒タンクの設置個所となる基礎コンクリートの表面に深さを有する凹部を設けて、該凹部にドライサンドを充填し、円筒タンクの底板を構築する鋼板であって、該鋼板の下面における互いに交差する方向であると共に互いに干渉しない位置に、長さの異なる複数のシアプレートを突設させた鋼板を、上記円筒タンクの底板の中央から外周部に亘り複数備え、上記円筒タンクの底板を構築する複数の鋼板の下面に突設させた複数のシアプレートを、上記ドライサンドに挿し込んだ状態で上記基礎コンクリート及びドライサンド上に上記円筒タンクを載置してなり、上記円筒タンクに作用する水平方向の荷重を、該円筒タンクの底板を構築する複数の鋼板の下面に突設したシアプレートより上記ドライサンドへ伝えて受けさせることができるようにした構成とする。
【００１４】
上記各構成において、円筒タンクの底板を構築する複数の鋼板の下面に突設させるシアプレートと、上記円筒タンクの底板と、を同じ材質とした構成とする。
【発明の効果】
【００１８】
本発明の円筒タンクの横滑り防止装置によれば、以下のような優れた効果を発揮する。
（１）円筒タンクの設置個所となる基礎コンクリートの表面に深さを有する凹部を設けて、該凹部にドライサンドを充填し、円筒タンクの底板を構築する鋼板であって、該鋼板の下面における互いに交差する方向であると共に互いに干渉しない位置に、長さの異なる複数のシアプレートを突設させた鋼板を、上記円筒タンクの底板の中央から外周部に亘り複数備え、上記円筒タンクの底板を構築する複数の鋼板の下面に突設させた複数のシアプレートを、上記ドライサンドに挿し込んだ状態で上記基礎コンクリート及びドライサンド上に上記円筒タンクを載置してなり、上記円筒タンクに作用する水平方向の荷重を、該円筒タンクの底板を構築する複数の鋼板の下面に突設したシアプレートより上記ドライサンドへ伝えて受けさせることができるようにした構成としてあるので、上記円筒タンクに地震力等により水平方向の大きな荷重が作用する場合にも該円筒タンクの横滑りを未然に防止することができる。したがって、タンク底板の損傷や、該タンク底板の下側に設けてあるノズル等の付属品の損傷によって内容液の漏洩が生じる虞を解消することができる。
（２）円筒タンクの底板を構築する鋼板の下面に、互いに交差する方向であると共に互いに干渉しない位置に、長さの異なる複数の複数のシアプレートを配設するようにした構成としてあるので、水平方向のいかなる方位から荷重が作用する場合にも、円筒タンクの横滑りを防止することが可能になる。
（３）円筒タンクの底板を構築する鋼板の下面に突設させるシアプレートと、上記円筒タンクの底板と、を同じ材質とした構成とすることにより、上記円筒タンクの底板の熱膨張、熱収縮に追従して上記シアプレートを熱膨張、熱収縮させることができる。
【発明を実施するための最良の形態】
【００１９】
以下、本発明を実施するための最良の形態を図面を参照して説明する。
【００２０】
図１（イ）（ロ）及び図２（イ）（ロ）は本発明の円筒タンクの横滑り防止装置の実施の一形態として、一重殻構造の平底円筒タンク６に適用する場合を示すもので、該一重殻構造を有する平底円筒タンク６における底板６ａの下面に、ほぼ直交する２つの鉛直面方向にそれぞれ沿って配された平板状のシアプレート（リブプレート）７を取り付ける。更に、上記平底円筒タンク６の設置個所となる基礎コンクリート８の上面に、上記平底円筒タンク６の底板６ａよりもやや小さい径で且つ上記タンク底板６ａの下面に取りつけたシアプレート７の上下寸法よりもやや深い寸法の凹部９を設けて、該凹部９にドライサンド（砂状の断熱材）１０を充填し、このドライサンド１０に上記タンク底板６ａの下面側に設けたシアプレート７を挿し込んだ状態で、上記平底円筒タンク６を、上記基礎コンクリート８並びにドライサンド１０の上側に載置した構成とする。
【００２１】
詳述すると、図１（ロ）に示すように、互いに接合することでタンク底板６ａを構築するための鋼板１１、たとえば、矩形状の鋼板１１の下面に、図２（イ）（ロ）に示す如く、幅方向（図２（イ）では上下方向）の中央部を通る鉛直面に沿って該鋼板１１の長手方向（図２（イ）では左右方向）に延びる所要の高さ寸法を有するシアプレート７の上端部を取り付けると共に、上記鋼板１１の長手方向両端部の下面における上記鋼板１１の長手方向に延びるシアプレート７と干渉しない位置に、該鋼板１１の幅方向（図２（イ）における上下方向）に沿う鉛直面内に配したシアプレート７の上端部をそれぞれ取り付けた構成とする。
【００２２】
又、上記タンク底板６ａの構築時に該タンク底板６ａの外周部に配される円弧部を備えた各鋼板１１の下面には、それぞれの形状に応じて、上記矩形状の鋼板１１に設けたシアプレート７と同様の方向に配されるシアプレート７を適宜取り付けるようにしておくようにすればよい。
【００２３】
上記のようにして下面側にシアプレート７を取りつけた各鋼板１１は、タンク設置個所となる基礎コンクリート８又はドライサンド１０上に、タンク底板６ａを構築する際の各鋼板１１の配置に応じた位置に搬入して、それぞれ下面側に取り付けてあるシアプレート７を、上記ドライサンド１０へ挿し込むようにし、この状態で、上記各鋼板１１を溶接等により互いに接合してタンク底板６ａを構築するようにしてある。なお、１２はアニュラープレートであり、該アニュラープレート１２を上記各鋼板１１の外周側に接合してタンク底板６ａの外周縁部を構築するようにしてある。
【００２４】
その後、上記のようにして構築されたタンク底板６ａの上側で、タンクの側板６ｂと屋根（図示せず）を順次組み立てることで、一重殻構造の平底円筒タンク６を構築し、これにより、該平底円筒タンク６を、上記したように、タンク底板６ａの下面側に設けた各シアプレート７をドライサンド１０に挿し込んだ状態で、上記基礎コンクリート８及びドライサンド１０上におけるタンク設置個所に載置した構成となるようにしてある。
【００２５】
以上の構成としてある平底円筒タンクの横滑り防止装置によれば、上記タンク底板６ａの下面側に設けてあるシアプレート７が、タンク設置個所の基礎コンクリート８に設けた凹部９に充填してあるドライサンド１０に差し込まれており、しかも、上記シアプレート７は、直交する２つの鉛直面方向に沿う配置としてあるため、上記タンク底板６ａに作用する水平方向の荷重は、いかなる方位から作用する場合であっても、該タンク底板６ａの下面側に設けたシアプレート７を、上記基礎コンクリート８の凹部９に充填してあるドライサンド１０内で動かそうとするときに生じる抵抗によって受けられるようになる。
【００２６】
したがって、上記平底円筒タンク６に地震力等により水平方向の大きな荷重が作用する場合にも、その荷重をタンク底板６ａよりシアプレート７とドライサンド１０を介して基礎コンクリート８側へ伝えて受けさせることができるようになるため、該平底円筒タンク６の横滑りが防止されるようになる。
【００２７】
このように、本発明の円筒タンクの横滑り防止装置によれば、平底円筒タンク６の横滑りを未然に防止できるため、従来、平底円筒タンク６が横滑りすることに起因して生じる虞が懸念されていたタンク底板６ａの損傷や、該タンク底板６ａの下側に設けてあるノズル等の付属品の損傷によって内容液の漏洩が生じる虞を解消することができる。
【００２８】
次に、図３（イ）（ロ）は本発明の実施の他の形態として、平底円筒タンクとしての二重殻式円筒タンクの内槽の横ずれ防止に適用する場合を示すもので、以下のようにしてある。
【００２９】
すなわち、基礎コンクリート８上に設置した二重殻式円筒タンクの外槽２の底板２ａの上側にて、平底円筒タンクとしての内槽１の底板１ａの外周縁部に対応する位置に、コンクリートブロック１３を周方向に配列して設け、該コンクリートブロック１３の内側に、フォームグラス等の底部保冷材３を、上記コンクリートブロック１３よりも所要寸法高さが低くなるように敷き詰め、更に、上記周方向に配したコンクリートブロック１３の内側で且つ上記底部保冷材３の上側に形成される凹部に、ドライサンド１０を充填する。
【００３０】
一方、上記二重殻式円筒タンクの内槽１の底板１ａの下面の所要個所に、上記底部保冷材３の上側に充填したドライサンド１０の深さ寸法よりもやや低い高さ寸法を有し且つ底板１ａの径方向の鉛直面に沿って延びるシアプレート７を突設する。より具体的には、上記シアプレート７は、上記底板１ａの下面にて、周方向に所要角度間隔で底板１ａの中心より放射方向に延びる鉛直面に沿う配置で取り付けるようにしてある。更に、上記シアプレート７は、上記内槽１の底板１ａと同じ材質として、該底板１ａの熱膨張、熱収縮に追従して熱膨張、熱収縮できるようにしてある。
【００３１】
更に、上記外槽２の底板２ａ上に設けたコンクリートブロック１３及び底部保冷材３の上側に充填したドライサンド１０の上側に、上記内槽１を、底板１ａの下面側に所定の配置で設けてなるシアプレート７を上記ドライサンド７に挿し込んだ状態で載置した構成とする。
【００３２】
なお、上記二重殻式円筒タンクの内槽１は、上記実施の形態の一重殻式円筒タンクと同様に、予め上記所定の配置となるようにそれぞれシアプレート７を下面側に取り付けてある鋼板１１を、上記内槽１の設置個所となる上記外槽２の底板２ａの上側に配設したコンクリートブロック１３並びにドライサンド１０の上側に搬入した後、互いに接合することで底板１ａを構築し、この構築された底板１ａの上側で、内槽１の側壁１ｂと屋根（図４参照）を順次組み立てることで、上記内槽１を構築するようにすればよい。
【００３３】
その他、図４に示したものと同一のものには同一符号が付してある。
【００３４】
本実施の形態によれば、内槽１の底板１ａの下面に周方向所要の角度間隔で放射方向にシアプレート７が突設してあるため、該底板１ａに作用する水平方向の荷重は、いかなる方位から作用する場合であっても、底板１ａの下面側に設けたシアプレート７を、上記ドライサンド１０内で動かそうとするときに生じる抵抗によって受けられるようになる。
【００３５】
したがって、上記二重殻式円筒タンクの内槽１に地震力等により水平方向の大きな荷重が作用する場合にも、該内槽１の横滑りが防止されるようになる。よって、上記内槽１の横滑りを未然に防止できるため、従来、内槽１が横滑りすることに起因して生じる虞が懸念されていた上記内槽１の底板１ａの損傷や、該底板１ａの下側に設けてあるノズル等の付属品が損傷することを防止できて、内容液の漏洩が生じる虞を解消することができる。
【００３６】
しかも、上記シアプレート７は、内槽１の底板１ａの下面に、周方向所要の角度間隔で放射方向に沿わせて設けてあるため、上記内槽１の底板１ａが、常温の状態と、内槽１内に貯留する低温液化ガス等の内容液の冷熱により極低温に冷却される状態との間で径方向に熱膨張、熱収縮を生じるときには、この内槽１の底板１ａの下面に取り付けてある上記シアプレート７が、上記ドライサンド１０内にて、該シアプレート７の面に沿う方向に変位するようになるため、ほとんど抵抗を受けることはない。
【００３７】
よって、本実施の形態の円筒タンクの横滑り防止装置を装備した状態であっても、上記内槽１の熱膨張、熱収縮を阻害することはない。
【００３８】
なお、本発明は、上記実施の形態にのみ限定されるものではなく、図１（イ）（ロ）及び図２（イ）（ロ）の実施の形態では、平底円筒タンク６のタンク底板６ａの下面に設けるシアプレート７を、すべて同一の高さ寸法のものとして示したが、シアプレートの高さ寸法に変化を設けるようにしてもよい。このようにすれば、各シアプレート７からの荷重を受けるドライサンド１０の深さが不均一になるため、該各シアプレート７がその両側面に接しているドライサンド１０と一緒に動く虞を低減できて、平底円筒タンク６の横滑り防止効果を高めることが可能になる。シアプレート７の高さ寸法や幅寸法、及び、シアプレート７の枚数は、地震時に平底円筒タンク６に作用すると推定される水平方向荷重の大きさに応じて適宜変更してもよい。シアプレート７は、少なくともほぼ直交する２つの鉛直面に沿うように配置してタンク底板６ａの下面に取り付けるようにしてあれば、たとえば、タンク底板６ａを構築するための矩形状の各鋼板１１の下面に、十字状やＸ字状に設ける等、配置は適宜変更してもよい。
【００３９】
図３（イ）（ロ）の実施の形態では、平底円筒タンクとしての内槽１の底板１ａの下面に設けるシアプレート７は、上記底板１ａの径方向への熱膨張、熱収縮時に、該底板１ａの下面に設けてあるシアプレート７が、ドライサンド１０内で該シアプレート７の面に沿う方向に変位するようになるときの抵抗を、底板１ａの周方向に均等化する観点からすると、上記底板１ａの下面に、シアプレート７を、周方向に所要角度間隔で底板１ａの中心より放射方向に延びる鉛直面に沿う配置で設ける構成とすることが望ましいが、個々のシアプレート７が、上記内槽１の底板１ａの径方向に沿う鉛直面内に配置されていれば、周方向所要角度間隔位置以外の位置にシアプレート７を取り付けるようにしてもよい。シアプレート７の高さ寸法や幅寸法、及び、シアプレート７の枚数は、地震時に上記二重殻式円筒タンクの内槽１に作用すると推定される水平方向荷重の大きさに応じて適宜変更してもよい。
【００４０】
平底円筒タンクの底板１ａ，６ａは、矩形の鋼板１１を接合して構築する以外の構成としてあってもよいこと、その他本発明の要旨を逸脱しない範囲内で種々変更を加え得ることは勿論である。
【図面の簡単な説明】
【００４１】
【図１】本発明の円筒タンクの横滑り防止装置の実施の一形態の概要を示すもので、（イ）は平底円筒タンクの底部外周部分を示す概略切断側面図、（ロ）は平底円筒タンクのタンク底板を下面側から見た図である。
【図２】図１の装置におけるタンク底板を構築する鋼板を拡大して示すもので（イ）は平面図、（ロ）は側面図である。
【図３】本発明の実施の他の形態として二重殻式円筒タンクの内槽に適用した場合を示すもので、（イ）は二重殻式円筒タンクの底部外周部分の概略切断側面図、（ロ）は二重殻式円筒タンクの内槽の底板を下面側から見た図である。
【図４】従来の二重殻式円筒タンクの概要を示す切断側面図である。
【符号の説明】
【００４２】
１  内槽（円筒タンク）
１ａ  底板
２  外槽（円筒タンク）
２ａ  底板
３  底部保冷材
６  平底円筒タンク（円筒タンク）
６ａ  底板
７  シアプレート
８  基礎コンクリート
９  凹部
１０  ドライサンド
１３  コンクリートブロック
【図１】
0005217495.tif 000002
【図２】
0005217495.tif 000003
【図３】
0005217495.tif 000004
【図４】
0005217495.tif 000005